(57)【特許請求の範囲】
【請求項１】
光コネクタ（２１）が両端側から接続されるアダプタハウジング（２）に、前記光コネクタが突き合わせ接続される一対のフェルール（９）が互いに離隔させて収納され、
前記一対のフェルールが、前記アダプタハウジング内のファイバ収納空間（１２）に引き通された中継光ファイバ（１１）によって互いに接続され、
前記フェルールの一方または両方は、前記光コネクタを接続位置から前記ファイバ収納空間側へ押し込むことで、前記ファイバ収納空間側へ移動可能とされ、この移動によって、前記中継光ファイバをたわませ湾曲させて漏れ光を放出可能な状態とすることができることを特徴とする光コネクタアダプタ（１）。
【請求項２】
前記アダプタハウジングに、前記光コネクタが接続される一対のコネクタ嵌合部（３、３３）が設けられ、
前記一対のフェルールが、それぞれ前記一対のコネクタ嵌合部に組み込まれ、
前記アダプタハウジングは、前記コネクタ嵌合部間の距離が可変であり、これらコネクタ嵌合部間の距離を変えることで、前記中継光ファイバが漏れ光を放出させない通常状態と、湾曲により漏れ光を放出可能な漏光発生状態との切り換えが可能であることを特徴とする請求項１に記載の光コネクタアダプタ。
【請求項３】
前記アダプタハウジングには、前記フェルールを互いに離間する方向に付勢し、前記中継光ファイバを漏れ光放出可能な状態から放出されない状態にするスプリング（４）が組み込まれていることを特徴とする請求項１または２記載の光コネクタアダプタ。
【請求項４】
前記アダプタハウジングに、前記ファイバ収納空間内の中継光ファイバから放出された漏れ光を前記アダプタハウジングの外側に放射させる光放射部（６）としての開口窓が設けられていることを特徴とする請求項１〜３のいずれか１項に記載の光コネクタアダプタ。
【請求項５】
前記アダプタハウジングに、前記光放射部を開閉する開閉部材（４１）が設けられていることを特徴とする請求項４記載の光コネクタアダプタ。
【請求項６】
前記光放射部に、透明材料からなり、前記漏れ光が透過する透光部（４２）が設けられていることを特徴とする請求項４に記載の光コネクタアダプタ。
【発明の詳細な説明】
【技術分野】
【０００１】
本発明は、光コネクタアダプタに係り、光ファイバ同士のコネクタ接続作業等において、導通確認や対照検査を要する場合に好適な光コネクタアダプタに関する。
【背景技術】
【０００２】
光線路における各配線の導通確認、光ファイバ対照検査の手法として、導通状態を維持したまま光ファイバに曲げを与えて漏れ光を発生させ、この漏れ光を、心線対照機（いわゆるＩＤテスタ）等の光ファイバ対照装置で受光し、光ファイバ対照装置の識別機能を利用した光ファイバの識別（対照）等を行う手法が普及している。
このような手法において、漏れ光を発生させる光ファイバは、一般的には、光ファイバ心線、光ファイバ素線である。
光ファイバ対照装置に関する技術として、例えば特許文献１〜４が知られている。
【特許文献１】特開昭６０−８８３２８号公報
【特許文献２】特開２００５−２６５５２４号公報
【特許文献３】特開２００６−１１９３５８号公報
【特許文献４】特開２００６−１５３４９５号公報
【発明の開示】
【発明が解決しようとする課題】
【０００３】
架空光通信網から家屋（加入者宅）への配線は、架空クロージャから引き落とした光ドロップケーブルと、宅内配線とをコネクタ接続した接続箇所を、家屋の外壁に取り付けたキャビネット内に設置することが通常である。
光ドロップケーブルと宅内配線とのコネクタ接続にあっては、光ドロップケーブルの先端に取り付けた光コネクタ（光コネクタプラグ）を光コネクタアダプタに挿入して、この光コネクタアダプタ内にて宅内配線とコネクタ接続する。
近年では、光ケーブルの外被を把持し固定する、いわゆる外被把持型の光コネクタが多く用いられてきている。
この構造の光コネクタは、光ファイバ素線が露出されないため、クロージャからキャビネットまでの区間では光ファイバ素線の露出部分が無くなる。さらに、一般的な光ドロップケーブルは、光ファイバ素線を外被中に埋設した構造であるため、光ファイバ素線からの漏れ光が外部に放出されにくい。
このため、コネクタ接続した状態（活線状態）のままでは、光ファイバの導通確認や対照検査が難しいという問題があった。
【０００４】
本発明は、前記課題に鑑みてなされたものであり、漏れ光の確認が難しい光ファイバ、例えば光ドロップケーブルを使用する場合であっても、この光ファイバの先端の光コネクタを接続することで、非破壊で、活線状態のまま、導通確認や対照検査を実現できる光コネクタアダプタの提供を目的としている。
【課題を解決するための手段】
【０００５】
上記課題を解決するために、本発明では以下の構成を提供する。
本発明の請求項１にかかる光コネクタアダプタは、光コネクタが両端側から接続されるアダプタハウジングに、前記光コネクタが突き合わせ接続される一対のフェルールが互いに離隔させて収納され、前記一対のフェルールが、前記アダプタハウジング内のファイバ収納空間に引き通された中継光ファイバによって互いに接続され、前記フェルールの一方または両方は、前記光コネクタを接続位置から前記ファイバ収納空間側へ押し込むことで、前記ファイバ収納空間側へ移動可能とされ、この移動によって、前記中継光ファイバをたわませ湾曲させて漏れ光を放出可能な状態とすることができることを特徴とする。
本発明の請求項２にかかる光コネクタアダプタは、請求項１において、前記アダプタハウジングに、前記光コネクタが接続される一対のコネクタ嵌合部が設けられ、前記一対のフェルールが、それぞれ前記一対のコネクタ嵌合部に組み込まれ、前記アダプタハウジングが、前記コネクタ嵌合部間の距離が可変であり、これらコネクタ嵌合部間の距離を変えることで、前記中継光ファイバが漏れ光を放出させない通常状態と、湾曲により漏れ光を放出可能な漏光発生状態との切り換えが可能であることを特徴とする。
本発明の請求項３にかかる光コネクタアダプタは、請求項１または２において、前記アダプタハウジングには、前記フェルールを互いに離間する方向に付勢し、前記中継光ファイバを漏れ光放出可能な状態から放出されない状態にするスプリングが組み込まれていることを特徴とする。
本発明の請求項４にかかる光コネクタアダプタは、請求項１〜３のいずれか１項において、前記アダプタハウジングに、前記ファイバ収納空間内の中継光ファイバから放出された漏れ光を前記アダプタハウジングの外側に放射させる光放射部としての開口窓が設けられていることを特徴とする。
本発明の請求項５にかかる光コネクタアダプタは、請求項４において、前記アダプタハウジングに、前記光放射部を開閉する開閉部材が設けられていることを特徴とする。
本発明の請求項６にかかる光コネクタアダプタは、請求項４において、前記光放射部に、透明材料からなり、前記漏れ光が透過する透光部が設けられていることを特徴とする。
【発明の効果】
【０００６】
本発明に係る光コネクタアダプタよれば、一対のフェルールの一方または両方がファイバ収納空間側に移動可能であるので、フェルール間の距離を変えることで、中継用光ファイバに曲げを付与し、漏れ光を放出させ、この漏れ光を検出することによって導通確認や対照検査が可能となる。
従って、光ドロップケーブルのように、漏れ光を放出させるのが難しい光ファイバを使用する場合であっても、導通確認や対照検査を非破壊で実現できる。
【発明を実施するための最良の形態】
【０００７】
以下、本発明を実施した光コネクタアダプタについて、図面を参照して説明する。
図１は、本発明の光コネクタアダプタの一例である光コネクタアダプタ１の概略構成を示す断面図である。
光コネクタアダプタ１は、アダプタハウジング２内に、一対のコネクタ嵌合部３、３と、これらの間に設けられたスプリング４と、コネクタ嵌合部３、３に組み込まれた接続用フェルール９、９と、接続用フェルール９、９を互いに接続する中継用光ファイバ１１とを備えて構成されている。
以下の説明において、一方のコネクタ嵌合部３が、他方のコネクタ嵌合部３に近づく方向を前方といい、その逆方向を後方ということがある。
【０００８】
アダプタハウジング２は、スリーブ状に形成され、両端の開口は、光コネクタ２１が接続されるコネクタ接続部５となっている。
コネクタ嵌合部３は、嵌合部本体７と、筒状のフェルール保持部８とを備えている。
嵌合部本体７の一端側（コネクタ接続部５側）の開口は、光コネクタ２１が挿入されるコネクタ挿入部１０となっている。嵌合部本体７は、光コネクタ２１が挿入される方向がアダプタハウジング２の軸方向に沿うように設けられている。
【０００９】
フェルール保持部８は、スリーブ状に形成され、アダプタハウジング２の軸方向に沿って形成されている。
フェルール保持部８の前端には、内方に突出したストッパ突起８ａが形成されており、これによって、接続用フェルール９の前方移動が規制されている。フェルール保持部８には割りスリーブ８ｂが設けられ、割りスリーブ８ｂに接続用フェルール９が挿通している。
【００１０】
接続用フェルール９は、中心軸に沿って光ファイバ導入孔（図示略）が形成され、この光ファイバ導入孔内に、光ファイバ裸線などからなる内蔵光ファイバ（図示略）が挿入され固定されている。この内蔵光ファイバは接続用フェルール９の後端面（接続端面９ｂ）に露出されている。接続用フェルール９は、例えば、ガラス、セラミック（ジルコニア等）で形成されたものが採用可能である。
接続用フェルール９の前端部には、ストッパ突起８ａが当接するフランジ部９ａが設けられている。
【００１１】
中継用光ファイバ１１は、後述の曲げを付与することによって漏れ光が放出可能なものが用いられ、例えば光ファイバ心線、光ファイバ素線が使用できる。中継用光ファイバ１１は、接続用フェルール９の前端に接続され、接続用フェルール９内の内蔵光ファイバ（図示略）に光接続されている。
中継用光ファイバ１１は、アダプタハウジング２内において、コネクタ嵌合部３、３間のファイバ収納空間１２に引き通されている。
【００１２】
コネクタ嵌合部３、３の一方または両方は、アダプタハウジング２内で、前後方向に移動可能とされる。このため、接続用フェルール９、９間の距離は可変である。
このコネクタ嵌合部３の移動幅は、後述するように、中継用光ファイバ１１を湾曲させて漏れ光を放出させることができるように設定される。
コネクタ嵌合部３には、光コネクタ２１が係止する係止爪などの係止手段（図示略）を設けるのが好ましい。
【００１３】
アダプタハウジング２の長さ方向中間部には、光放射部６が形成されている。光放射部６は、漏れ光をアダプタハウジング２の外側に放出させる開口窓である。
光放射部６は、接続用フェルール９、９を結ぶ直線に対して中継光ファイバ１１の湾曲部分の頂部が位置する側に形成されていることが好ましい（図３を参照）。
アダプタハウジング２内には、接続用フェルール９の移動に伴って移動する中継用光ファイバ１１を案内するガイド部（図示略）を設けてもよい。ガイド部を形成することによって、中継用光ファイバ１１の湾曲部分を確実に光放射部６に向け、精度の高い漏れ光の検出が可能となる。
【００１４】
スプリング４は、コネクタ嵌合部３、３を互いに離間する方向に付勢するように設置された付勢部材である。スプリング４としては、コイルスプリングが好ましいが、コネクタ嵌合部３を付勢できるものであればよく、板バネ等の弾性体であってもよい。
スプリング４は、中継用光ファイバ１１からの漏れ光が光放射部６から放出されるのを妨げないように設置される。スプリング４の数は、１または２以上としてよい。
【００１５】
アダプタハウジング２に接続される光コネクタ２１の具体例としては、例えば、ＪＩＳ  Ｃ  ５９７３に規定されるＳＣ形光コネクタ（Single fiber Coupling optical fiber connector）や、ＪＩＳ  Ｃ  ５９８３に規定されるＭＵ形光コネクタ（Miniature-Unit coupling optical fiber connector）等、各種の光コネクタが挙げられる。
光コネクタ２１に組み込まれたフェルール２３に内挿固定された内蔵光ファイバ（図示略）は、光ファイバ２２の光線路の一部を構成する。
光コネクタ２１としては、外被把持型のもの、例えばフェルール２３を有するコネクタ本体と、光ファイバ２２の外被を把持してコネクタ本体に固定する把持機構（図示略）とを備えたものが好適である。コネクタ本体は、例えばフェルール２３と、フェルール２３の内蔵光ファイバを光ファイバ２２から引き出された光ファイバに接続する接続機構と、これらを収容するハウジングとを備えたものである。
【００１６】
光コネクタ２１が組み立てられる光ファイバ２２としては、光ドロップケーブル、光インドアケーブルなどの光ファイバケーブルを例示できる。また、光ファイバ心線、光ファイバコードなどにも適用できる。
図４は、光ドロップケーブルの一例を示す断面図である。光ドロップケーブル５１は、光ファイバエレメント部５１ｄと、光ファイバエレメント部５１ｄの側部に添えられた金属線５１ｅを外被５１ｃによって被覆した支持線部５１ｆとを備えている。光ファイバエレメント部５１ｄは、光ファイバ５１ａとその両側に配置した抗張力体５１ｂとを外被５１ｃで一括被覆したものである。
光ファイバエレメント部５１ｄと支持線部５１ｆとの間は、外被５１ｃの薄肉部５１ｇを介して繋がっており、薄肉部５１ｇを切断することで、支持線部５１ｆを光ファイバエレメント部５１ｄから分離できる。
光ファイバ５１ａは、光ファイバエレメント部５１ｄの断面中央部に埋設されており、光ファイバエレメント部５１ｄを、ノッチ５１ｈから２つに分割することで、光ファイバ５１ａを露出させることができる。抗張力体５１ｂは、光ファイバ５１ａに沿って縦添えされた線条体であり、その材質は、例えばＦＲＰである。支持線部５１ｆの金属線５１ｅとしては、例えば鋼線等が用いられる。
いわゆる光インドアケーブルは、例えば光ファイバエレメント部５１ｄと同様の構成である。
【００１７】
光ファイバ２２の配線および光コネクタアダプタ１の設置箇所は、例えば次のようにすることができる。
架空クロージャ（図示略）から引き落とされた光ファイバ２２（例えば光ドロップケーブル）と、宅内配線である光ファイバ２２（例えば光インドアケーブル）とをコネクタ成端して光コネクタアダプタ１で接続し、この光コネクタアダプタ１を、利用者宅に設置されたキャビネット（図示略）の内部に設置することができる。
光コネクタアダプタ１は、利用者宅の外壁に設置することができる。
また、架空クロージャと利用者宅のキャビネットとの中間位置において、光ファイバ２２に光コネクタアダプタ１を介在させ、この光コネクタアダプタ１を、光ファイバ２２の中間位置に設置した中継クロージャ（図示略）内に収容してもよい。
【００１８】
次に、光ファイバ２２、２２を光コネクタアダプタ１に接続し、その導通を確認する方法について説明する。
図２に示すように、アダプタハウジング２の両端側から、コネクタ嵌合部３、３のコネクタ挿入部１０、１０に、それぞれ光コネクタ２１、２１を接続する。
光コネクタ２１のフェルール２３は、フェルール保持部８に挿入され、フェルール保持部８内で、接続用フェルール９の後端面（接続端面９ｂ）と突き合わせられる。これによって、光ファイバ２２と接続用フェルール９とが光接続される。
【００１９】
アダプタハウジング２内の一対の接続用フェルール９、９は、中継用光ファイバ１１を介して光接続されているため、光コネクタアダプタ１の両端の光ファイバ２２、２２は、互いに光接続される。
図２に示すコネクタ嵌合部３の位置を接続位置と呼ぶ。この接続位置では、中継用光ファイバ１１は真っ直ぐな状態である。中継用光ファイバ１１は、コネクタ嵌合部３が接続位置にあるときに、曲げ損失が発生しない曲率で曲がっていてもよい。
このように、中継用光ファイバ１１が真っ直ぐまたは曲げ損失を発生しない曲率で曲がっている状態を通常状態という。
【００２０】
図３に示すように、光ファイバ２２に光を入射させた状態で、光コネクタ２１の一方または両方を、ファイバ収納空間１２に向けて押し込むことによって、スプリング４の付勢力に抗してコネクタ嵌合部３を前方移動させる。
２つのコネクタ嵌合部３、３の離間距離が小さくなることによって、接続用フェルール９、９が互いに接近し、中継用光ファイバ１１にはたわみが生じ、曲げ損失が発生する曲率で湾曲する。この湾曲部分を符号１１ａで示す。図示例では、湾曲部分１１ａは中継用光ファイバ１１のほぼ中央部分である。
この湾曲によって、中継用光ファイバ１１から漏れ光が放出される。このように、中継用光ファイバ１１が漏れ光を放出可能な曲げを付与された状態を漏光発生状態という。
【００２１】
中継用光ファイバ１１から発生した漏れ光は、光放射部６を通してアダプタハウジング２の外部に放出される。漏れ光は、汎用の光検出器（図示略）により検出することができる。この漏れ光の放出の有無に基づいて、光ファイバ２２、２２の導通を確認できる。
また、光ファイバ２２に試験光を入射し、光コネクタアダプタ１で検出された漏れ光の特性（例えば波長特性）を調べることによって、光ファイバ２２が、目的の光ファイバであるか否かを判定する対照検査を行うことができる。
【００２２】
中継用光ファイバ１１の曲げ状態は、現用回線に影響を与えない程度の伝送損失を維持するものとするのが好ましい。これによって、光ファイバ２２を現用回線として使用している状況であっても、この現用回線の通信に影響を与えることなく、導通確認、対照検査を行うことができる。
【００２３】
光コネクタ２１の押し込み方向への押圧を停止すると、スプリング４の付勢力によってコネクタ嵌合部３は後退し、２つのコネクタ嵌合部３、３の距離が大きくなり、中継用光ファイバ１１は通常状態に戻る。
【００２４】
光コネクタアダプタ１では、接続用フェルール９が移動可能であるため、接続用フェルール９、９間の距離を変えることで、中継用光ファイバ１１に曲げを付与し、漏れ光を放出させ、この漏れ光を検出することによって導通確認や対照検査が可能となる。
従って、光ドロップケーブルのように、漏れ光を放出させるのが難しい光ファイバ２２を使用する場合であっても、導通確認や対照検査を非破壊で実現できる。
【００２５】
図５は、本発明の光コネクタアダプタの具体的な構成例を示す断面図である。以下の説明において、図１に示す光コネクタアダプタ１との共通点については同一符号を付してその説明を省略する。
ここに示す光コネクタアダプタ３１は、スリーブ状のアダプタハウジング２内に、一対のコネクタ嵌合部３３、３３と、これらの間に設けられたスプリング４と、コネクタ嵌合部３３、３３に組み込まれた接続用フェルール９、９と、中継用光ファイバ１１を備えている。
【００２６】
コネクタ嵌合部３３は、嵌合部本体３７と、嵌合部本体３７から後方に延出するフェルール保持部３８とを備えている。
嵌合部本体３７は、アダプタハウジング２の内面形状に沿う外面形状を有するブロック状の主部３５と、主部３５の後端面の周縁部から後方に延出する筒状延出部３６とを有する。筒状延出部３６の内側は、光コネクタ２１が挿入されるコネクタ挿入凹所３６ａとなっている。
主部３５には、接続用フェルール９が挿通する挿通孔３５ａが前後方向に沿って形成されている。主部３５の前端部には、挿通孔３５ａ内面から内方に突出したストッパ突起３５ｂが形成されている。
【００２７】
フェルール保持部３８は、主部３５の後端面中央から後方に延出する筒状に形成され、その内部には、接続用フェルール９が挿入される割りスリーブ３２が設けられている。
割りスリーブ３２の前部は、主部３５の挿通孔３５ａに挿入されている。
接続用フェルール９の外周には、割りスリーブ３２の内径より大きい外径を有するフランジ部９ａが形成されており、フランジ部９ａが割りスリーブ３２の前端部に当接することによって接続用フェルール９の後方移動が規制されている。
【００２８】
挿通孔３５ａ内には、接続用フェルール９が挿通するスプリング３４が設けられている。スプリング３４は、後端がフランジ部９ａに当接し、前端がストッパ突起３５ｂに当接している。スプリング３４は接続用フェルール９を後方に付勢しており、光コネクタ２１のフェルール２３に対する突き合わせ力を与えるようになっている。
接続用フェルール９の前端部に接続された中継用光ファイバ１１は、コネクタ嵌合部３３、３３間のファイバ収納空間１２に引き通されている。
コネクタ嵌合部３３、３３の一方または両方は、アダプタハウジング２内で、前後方向に移動可能とされる。
【００２９】
光コネクタアダプタ３１にコネクタ接続される光ファイバ２２の導通を確認するには、光コネクタ２１をコネクタ挿入凹所３６ａに挿入することによってコネクタ嵌合部３３に接続した後、コネクタ嵌合部３３、３３の少なくとも一方を前方移動させて中継用光ファイバ１１に曲げを付与し、漏れ光を発生させ、この漏れ光を検出する。
図５における符号１１ａは中継用光ファイバ１１の湾曲部分であり、符号１１ｂは湾曲部分１１ａの頂部である。
【００３０】
図６〜図８は、本発明の光コネクタアダプタの変形例を示すものである。
図６に示す例では、アダプタハウジング２の外面に、光放射部６を開閉する開閉部材４１が設けられている。
開閉部材４１は、アダプタハウジング２の外面に沿ってスライド移動可能であり、実線で示すように光放射部６を覆う閉止位置と、２点鎖線で示すように光放射部６を開放する開放位置との間を移動できる。
図７に示す例では、開閉部材４１が、端部に設けられたヒンジ部４１ａでアダプタハウジング２に接続されている。開閉部材４１は、実線で示す閉止位置と２点鎖線で示す開放位置との間でヒンジ部４１ａを支点として回動することによって光放射部６を開閉する。
【００３１】
この構成によれば、通常時には光放射部６を閉止しておき、導通確認や対照検査を行なうときにのみ光放射部６を開放することができる。
光放射部６を閉止できるため、通常時において塵埃等がアダプタハウジング２内に入るのを防止し、光コネクタアダプタ１内を清浄に保ち、精度の高い漏れ光検出が可能となる。
【００３２】
図８に示す例では、光放射部６が透光部４２によって閉止されている。透光部４２は、透明材料（例えばガラス、合成樹脂）からなり、漏れ光が透過可能である。
この構成によれば、塵埃等がアダプタハウジング２内に入るのを防止し、光コネクタアダプタ１内を清浄に保ち、精度の高い漏れ光検出が可能となる。
また、透光部４２の表面に、漏れ光によって蛍光を発する蛍光材料を塗布し、この表面に蛍光部を形成してもよい。これによって、漏れ光の検出が容易になる。
【００３３】
なお、図示例では、漏れ光が、直接光放射部６を通して放出されるが、これに限らず、アダプタハウジング２内に、漏れ光を反射して光放射部６に導く反射部を設けてもよい。この反射部としては、汎用のミラーを使用できる。
【実施例】
【００３４】
（実施例１）
図５に示す光コネクタアダプタ３１を使用し、光コネクタ２１をコネクタ嵌合部３３に接続した後、光ファイバ２２に試験光（波長：１．５５μｍ、強度：−２０ｄＢｍ）を入射し、コネクタ嵌合部３３、３３を互いに接近する方向に押し込んで中継用光ファイバ１１に曲げを付与した。コネクタ嵌合部３３の押し込み量（コネクタ嵌合部３３、３３の接近距離）は１．６ｍｍとした。中継用光ファイバ１１は光ファイバ素線である。
中継用光ファイバ１１からの漏れ光を光検出器により測定した。光検出器としては、光ファイバ心線対照機（フジクラ製、ＦＩＤ１２Ｒ）の受光部を使用した。この光検出器の測定限界（下限）は−６０ｄＢｍである。
【００３５】
【表１】
0004832401.tif 000002
【００３６】
表１に示すように、中継用光ファイバ１１の長さを適切に設定すれば（例えば２２〜２８ｍｍ）、接続損失の増加を低く抑えつつ、漏れ光の検出が可能となる。
【図面の簡単な説明】
【００３７】
【図１】本発明の光コネクタアダプタの一例である光コネクタアダプタ１の概略構成を示す断面図である。
【図２】図１に示す光コネクタアダプタに光コネクタを接続した状態を示す断面図である。
【図３】図１に示す光コネクタアダプタにおいて、中継用光ファイバに曲げを付与した状態を示す断面図である。
【図４】本発明を適用可能な光ファイバケーブルの一例を示す断面図である。
【図５】本発明の光コネクタアダプタの具体的な構成例を示す断面図である。
【図６】本発明の光コネクタアダプタの変形例を示す断面図である。
【図７】本発明の光コネクタアダプタの変形例を示す断面図である。
【図８】本発明の光コネクタアダプタの変形例を示す断面図である。
【符号の説明】
【００３８】
１・・・光コネクタアダプタ、２・・・アダプタハウジング、３、３３・・・コネクタ嵌合部、４・・・スプリング、６・・・光放射部、９・・・接続用フェルール、１１・・・中継用光ファイバ、１２・・・ファイバ収納空間、４１・・・開閉部材、４２・・・透光部。
【図１】
0004832401.tif 000003
【図２】
0004832401.tif 000004
【図３】
0004832401.tif 000005
【図４】
0004832401.tif 000006
【図５】
0004832401.tif 000007
【図６】
0004832401.tif 000008
【図７】
0004832401.tif 000009
【図８】
0004832401.tif 000010